(57)【要約】      （修正有）【課題】半導体のオープンを報知し、デジタル化を図る３ダイオードＮＯＴ論理素子組み合わせ器を提供する。【解決手段】ひし形の形をした３ダイオード、導通線１、非導通線２、導通線３、非導通線４、導通線５、非導通線６、１端子ＮＯＴ論理素子７、光センサー器８、１端子ＮＯＴ論理素子９、１端子ＮＯＴ論理素子１０、アース線３’、警報器ＥＳ−ＰＴ１１、流線型回転灯により、３ダイオードＮＯＴ論理素子組み合わせ器を構成する。【選択図】図２
2019022202.tif 000002
【特許請求の範囲】
【請求項１】
３ダイオード組み合わせ器に１端子ＮＯＴ論理素子お設けた３ダイオードＮＯＴ論理素子組み合わせ器。
【請求項２】
３ダイオード組み合わせ器に回路の異常を警報器により迅速に知らせるである。
【請求項３】
ダイオードのオープンを知らせる光センサー器が作動し、消灯をし、事前に知らせるものである。ＮＯＴ論理素子０の時に１示す事により警報器  ＥＳ−ＰＴが作動、パトライト流線型回転灯が瞬時に作動して知らせるのである。
【請求項４】
この発明は、半導体樹脂で固め、光センサーにアルミ制のヒューム管を施し、上部高水圧発生器ノズルにより上部切断して、半導体樹脂とヒューム管が水平に成る様に施し上部にレンズをかぶせた状態にするのである。
【請求項５】
ダイオードの電子回路図１、アノード（プラス＋）２、カソード（マイナス−）により導通線、非道通線をそれぞれ示すものである。
計３個のＮＯＴ論理素子を使用するものである。
【発明の詳細な説明】
【発明の詳細な説明】
【技術分野】
【０００１】この発明は、３ダイオードに１端子ＮＯＴ論理素子を設けた３ダイオード組み合わせ器である。
【背景技術】
【０００２】従来、ダイオードと１端子ＮＯＴ論理素子回路とは別々なっていた。
【先行技術文献】
【特許文献】
【０００３】
【特許文献１】Ｈ０３Ｋ１９／０９８−１９／２３
【発明の概要】
【発明が解決しようとする課題】
【０００４】これは、次のような欠点があった。
従来、半導体のオープンなどは、電子回路などを多く使用していると、どうしても防ぐことができず、知らないうちに故障することが多かった。又半導体を多様に使用する光センサー回路においてはダイオードの微弱な電流不足によるオープンが多かったのである。本発明は、以上のような欠点をなくすためになされたものである。【０００５】ひし形の形をした３ダイオードに１、導通線  ２  非導通線、  ３、導通線  ４、非導通線  ５、導通線  ６  非導通線  ７  １端子ＮＯＴ論理素子  ８、光センサー器  ９、１端子ＮＯＴ論理素子  １０、１端子ＮＯＴ論理素子  ３´アース線  １１、警報器ＥＳ−ＰＴ  １２、パトライト流線型回転灯  本発明は以上の構成よりなる３ダイオードＮＯＴ論理素子組み合わせ器である。
【発明の効果】
【０００６】３ダイオードに光センサー器で半導体のオープンを知らせ、１端子ＮＯＴ論理素子により初歩的なデジタル化がはかられ、便利であるので使うのになんらさしつかえないのである。【０００７】
【図１】
本発明の側面図である。
【図２】
本発明の平面図である。
【発明を実施するための形態】
【０００８】以下、本発明を実施するための形態について説明する。
ひし形３ダイオード組み合わせ器に７、１端子ＮＯＴ論理素子を設け、９、の１端子ＮＯＴ論理素子があり、それに光センサー器を設けた。ＮＯＴ論理素子回路は１のときに０になり、０のときに１になるというようにわずかなデジタル化がはかれます。光センサー器は周辺の半導体のオープンに反応します。
ＮＯＴ回路は０が入力されれば１を、１が入力されれば０を出力します。ＮＯＴ回路の記号で、ＮＯＴの機能を表しているのは三角形でなく、後３の小さい円です。
一般的に、信号を０から１に、１から０に反転する機能を、この円が表しています。
論理回路とはデジタル信号を扱う機器で、論理演算などを行っている電子回路です。論理素子は、以前はトランジスタやダイオードなどの半導体あるいは抵抗やコンデンサといった電子部品を組み合わせて構成していましたが、現在はもっぱらＩＣ集積された論理素子を利用します。それにより、光センサー器、警報器の迅速な作動が必要になるのである。
本発明は以上のような構造である。
【０００９】４つのケイ素でひし形の化合物「テトラシラシクロブタジエン」これにちなみ本発明３ダイオード組み合わせ器にしたのである。このバイ電子が２個ずつケイ素原子上に局在してプラスとマイナスに電荷が分かれるため、ひし形を形成して安定化することがあります。
【００１０】警報器としては、ＥＳ−ＰＴ／ＥＳ−ＰＭ  ／ＥＳ−ＢＸインバーター対応型電子回路により瞬時に作動、これに  回転灯にＬＥＤを使用して、これにより長寿命  電球切れが軽減でき、オープン時に作動します。
【００１１】半導体ダイオード、ＩＣのオープン時に知らせる光センサー器、警報器などはパトライト流線型回転灯ＤＣ１２Ｖ黄  ＫＷ−１２や直流電源を使用する。
【００１２】ＩＣによる光センサー器にアルミ制のヒューム管を「ウォータージェットによる切断加工」とは水を最高３９２ＭＰＡ（約４０００気圧）に加圧し、小径ノズル（直径０，１ｍｍ）から噴射、高速・高密度な超高圧水のエネルギーを利用して、対象物を切断加工する工法です。このヒューム管上部に直径１〜１，５ｍｍの大きさのレンズをかぶせてＩＣの表面とヒューム管上部のレンズとが一直線上水平になるのである。
【００１３】３、にアース線を引き自然アースをさせるのである  洗濯機、電子レンジ、ウオシュレットなどにも大変必要なものである。静電気破壊とは、ＩＣなどの電子部品が静電気によって破壊する現象をいいます。静電気放電によって一時的に高い電圧の電気が流れると絶縁性の高い酸化シリコンなどの薄い膜（絶縁層）が破られ中の回路が破壊されてしまう。ＭＯＳ半導体では約８０〜１００Ｖの電圧がかかるだけで半導体としての機能を失ってしまう。この為にはアース線が必要である。
【００１４】導通線、非導通線とはダイオードの特性の理論からなる原理から、この発明をしたのである。部品の構造から感銘をしたのである。            以後この記号を用いるのである。基礎的な電気部品の原理から成り立つのである。
【００１５】ポジ型感光性半導体ウエハーコード樹脂は高解像度、高密着性、低吸水率、環境安全制、ｅｔｃの特徴を持っている。この様な半導体樹脂  スミレジンエクセルＲＣＲＣ−８０００Ｊシリーズなどで３ダイオード組み合わせ器を包み込むのである。
【００１６】「すべての入力端子に…」がＡＮＤ、ＮＡＮＤ回路、「少なくとも１つの入力端子に…」がＯＲ、ＮＯＲ回路です。（真のとき）に０が出力されるＮＡＮＤやＮＯＲには回路記号の後には小さい円があります。この円は信号を反転（０は１に、１は０に）することを表しています。入力信号の０に着目すると、ＡＮＤ回路はＯＲ回路はＮＯＴ回路入力Ａ＝１  Ｂ＝０、Ａ＝０、Ｂ＝１「ＮＯＴ回路の記号は三角形の後ろに円をつける」この様にＮＯＴ回路を備える事は非常に重要なのである。
【００１７】抵抗器の故障モードには、断線、短絡、抵抗値不安定  負荷による断線  高温高湿や腐食性環境による断線などがあり注意が必要である。
【０００１８】電解コンデンサは、極性を絶対に間違えてはならない解放モード、短縮モードで故障しやすいので注意が必要である。
【００１９】半導体故障解析とは集積回路において、製造過程での不良品や、故障品の何処に異常があるのかを解析する事又、その技術である。ＬＳＩ（１０００万素子以上）、ＶＬＳＩ（１０万素子以上）ＵＬＳＩ（１０００万素子以上）などがあり上記にある事に付いて本発明３ダイオードＮＯＴ論理素子組み合わせ器が重要である。
【００２０】プリント基板を扱うときには直接基板にふれず必ず両手のひらではさむように持ち、取り扱うことが大切である。人体にある静電気又衣服からの静電気により集積回路ＩＣが静電破壊されるのを防ぐために注意が必要である。
【００２１】又、製造工程においてプリント基板には、半田カスが付着している事で電気ショートが時々あるので細心の注意が必要である。電気回路には赤、黄、緑色の光センサー器を使用する事で重要な箇所の区別をつけるのである。電気回路には抵抗器のようにひとつ無くても良い部品、ひとつの電子部品でも見落としてもならないことが組み合わさり、ひとつの基板がなされているのである。それぞれに緑、黄、赤色の光センサー器を使い分けるのである。
【００２２】コンデンサーによるノイズ対策、コンデンサーの特性は、周波数の低い成分に対してはインピーダンスが高く、逆に周波数の高い成分に対してはインピーダンスが低くなります。「ローパスフィルタ」として用いられることが一般的である。
又バイパスコンデンサーの主な目的は電源電圧の変動を抑え込むことができる。
デカップリングコンデンサーによりノイズを低減させることができるのである。
【００２３】コイルやフエライトビーズは周波数と共にインピーダンスが増大し、回路開放する役目を果たします。こうした特性を活かしてコイルもノイズ対策部品として使用される。主にＡＣ電源ライン、ＤＣ電源ラインなどのノイズ低減に用いられる。
【００２４】アイソレーション素子やアイソレーション部品としては、絶縁トランス、フオトカプラ、リレーコンデンサーなどがあり、ノイズ源を分離するのである。
【００２５】シールドによるノイズ対策は、電磁界ノイズを反射あるいは吸収することで、ノイズの放射または侵入を抑制することである。鉄、アルミなどの金属板が使用される。
【００２６】プリント基板のパターンのうちＶＣＣとＧＮＤの面積を大きく、また向かい合う面積をできるだけ大きく取るようにすることでプリント基板から放射されるノイズが減少することになる。
【００２７】基板面積は、極力配線間隔を広くとることがノイズ対策を行う上で必要である。
配線の長さを短くすることで電磁界の広がりも抑えることができる。
【００２８】パターンが直角に曲がっている、このようなインピーダンスが急激に変化するパターンになると電磁界の分布が不連続となるため、反射が発生して電磁界が広がりノイズを発生させる原因になる、プリント基板の設計はインピーダンス変化がないようにするのである。
【００２９】リターンパスを確保するようにプリント基板のパターンを設計しないと、特に高速信号の際にはノイズを発生しやすくなる。
プリント基板のパターンもアンテナとなってしまいます。これらのノイズ、傍受してしまったりするので設計上注意が必要である。
【００３０】
2019022202.tif 000003
１、非導通線  ２、導通線とするのである。
ダイオードは整流作用を持つ電子素子である。最初のダイオードは２極真空管で、後に半導体素子である半導体ダイオードが開発された
2019022202.tif 000004
１、アノード（導通線）  ２、カソード（非導通線）となるのである。
【００３１】ダイオードの一種であるＬＥＤには、「極性」があり、その陽極（＋＝プラス極）を「アノード」、陰極（−＝マイナス極）を「カソード」と言います。
【００３２】ＬＥＤはダイオードの一種であり、「一定方向にしか電流を流さない整流作用を持つ電子素子」である。アノードの方向からカソードへと電流流れ、その区別は電流が流れる向きだけによって決まるのである。
【００３３】半導体樹脂で固めた３ダイオード組み合わせ器は広い基板の上にのせて固定するものである。上述のようにノイズ対策を施して、行うものである。ダイオードに保護抵抗を接続するものである。
【００３４】バイアス抵抗器１ＫΩ、  １０ＫΩを用いる事でダイオードに対する過電流を防ぐのである。
保護抵抗器は、過電流、有害なノイズを防ぐのである。又、ＩＣの集積回路半導体には、デカップリングコンデンサーを使用すると、オーディオ機器、パソコン、家電製品などのノイズを軽減できるのである。
【００３５】半導体集積回路の回路配置の法律は米国を中心としたコンピュウターや半導体産業の興隆があり、コンピュウターの小型化  省力化・高性能化が実現した。
電子回路のレイアウト・デザインを工夫することも重要である。コストは、技術の進歩、安価である。
【００３６】１  導通線
２  非導通線
３  導通線
４  非導通線
５  導通線
６  非導通線
７  １端子ＮＯＴ論理素子
８  光センサー器
９  １端子ＮＯＴ論理素子
１０  １端子ＮＯＴ論理素子
３´  アース線
１１  警報器ＥＳ−ＰＴ
１２  パトライト流線型回転灯
【図１】
2019022202.tif 000005
【図２】
2019022202.tif 000006